(57)【特許請求の範囲】
【請求項１】
角パイプ状の手摺り支柱の対向する２面のうち一方の面に上下に長い長孔状の固定穴を穿孔すると共に他方の面に固定穴に対応するように上下に長い長孔状の挿通穴を穿孔し、階段の踏板や下階の床面に支柱ベースを取着すると共にこの支柱ベースの上に手摺り支柱の下端を取り付けて手摺り支柱を立設し、階段の傾斜に沿わせて配置した手摺りバーを手摺り支柱の上端に取着して支持し、各手摺り支柱をこの手摺り支柱の下端の取り付け位置より１段高い踏板の前端の段鼻部に沿わせると共に固定穴から踏板の段鼻部に固着具を打入して踏板の段鼻部に手摺り支柱を上下位置調整自在に固定し、挿通穴にカバーを被着したことを特徴とする階段の手摺りの取り付け構造。
【請求項２】
角パイプ状の手摺り支柱の対向する２面のうち一方の面に上下に等間隔に複数の固定穴を穿孔すると共に他方の面に固定穴より径の大きな挿通穴を固定穴に対向するように穿孔し、階段の踏板や下階の床面に支柱ベースを取着すると共にこの支柱ベースの上に手摺り支柱の下端を取り付けて手摺り支柱を立設し、階段の傾斜に沿わせて配置した手摺りバーを手摺り支柱の上端に取着して支持し、各手摺り支柱をこの手摺り支柱の下端の取り付け位置より１段高い踏板の前端の段鼻部に沿わせると共に固着具を打入する固定穴の位置を選択して固定穴から踏板の段鼻部に固着具を打入して踏板の段鼻部に手摺り支柱を上下位置調整自在に固定し、挿通穴群を覆うようにカバー材を固定したことを特徴とする階段の手摺りの取り付け構造。
【請求項３】
手摺り支柱と段鼻部との間に弾性のある部材を介在した状態で手摺り支柱から段鼻部に固着具を打入したことを特徴とする請求項１または請求項２記載の階段の手摺りの取り付け構造。
【発明の詳細な説明】
【０００１】
【発明の属する技術分野】
本発明は、オープン階段と称される階段で手摺りを取り付ける構造に関するものである。
【０００２】
【従来の技術】
従来、この種の階段の手摺りの取り付け構造にあっては、特開２０００−２５７２３２に開示されるものがある。これは図１０に示すように階段１の各踏板２の後部に手摺り支柱３の下端を固定して手摺り支柱３を垂直に立設し、階段１の傾斜に沿わせて配置した手摺りバー４を手摺り支柱３の上端に固定し、各手摺り支柱３おいて手摺り支柱３を固定する踏板２より一段高い位置に位置する踏板２の前端の段鼻部に手摺り支柱３を固定していた。また踏板２の前端と後端との間の中間部にも手摺り支柱３′の下端を固定して手摺り支柱３′を垂直に立設し、手摺り支柱３′の上端に手摺りバー４を固定してある。
【０００３】
【発明が解決しようとする課題】
ところで、上記従来例では、手摺り支柱の下端から上方に所定寸法離れた位置を踏板２の前端の段鼻部に固定することにより手摺り支柱３を安定よく立設できるようになっているが、手摺り支柱３を踏板１の前端の段鼻部に固定するとき、手摺り支柱３の下端から所定の寸法離れた所定位置を段鼻部に固定するだけの構造になっており、階段１の勾配等が変ったとき同じ部材で対応できないという問題がある。つまり、階段１はその勾配等によって上下の踏板２間の高さが変るが、踏板２間の高さが変ると、手摺り支柱３を踏板１の前端の段鼻部に固定する高さ位置も変るが、従来の構造ではそれに対応できず、階段１の勾配等が変ったときに別部材を用意したりしなければならないという問題があった。
【０００４】
本発明は上記の点に鑑みてなされたものであり、上下の踏板間の高さが変っても手摺り支柱を踏板の段鼻部に固定する位置を変えるができて共通の部品で種々の階段に共通の部材で対応できる階段の手摺りの取り付け構造を提供することを課題とするものである。
【０００５】
【課題を解決するための手段】
上記課題を解決するための本発明の請求項１の階段の手摺りの取り付け構造は、角パイプ状の手摺り支柱３の対向する２面のうち一方の面に上下に長い長孔状の固定穴７を穿孔すると共に他方の面に固定穴７に対応するように上下に長い長孔状の挿通穴１６を穿孔し、階段１の踏板２や下階の床面５に支柱ベース６を取着すると共にこの支柱ベース６の上に手摺り支柱３の下端を取り付けて手摺り支柱３を立設し、階段１の傾斜に沿わせて配置した手摺りバー４を手摺り支柱３の上端に取着して支持し、各手摺り支柱３をこの手摺り支柱３の下端の取り付け位置より１段高い踏板２の前端の段鼻部に沿わせると共に固定穴７から踏板２の段鼻部に固着具８を打入して踏板２の段鼻部に手摺り支柱３を上下位置調整自在に固定し、挿通穴１６にカバーを被着したことを特徴とする。手摺り支柱３をこの手摺り支柱３の下端の取り付け位置より１段高い踏板２の前端の段鼻部に沿わせると共にこの踏板２の段鼻部に手摺り支柱３を固定したことにより手摺り支柱３の下端を支柱ベース６に固定する以外に手摺り支柱３の下端より上の位置も踏板２に固定でき、手摺り支柱３を安定よく立設でき、手摺りを安定よく施工できる。また固着具８を挿通穴１６から固定穴７に挿通し、挿通穴１６から工具等を操作して固定穴７から踏板２の段鼻部に固着具８を打入して手摺り支柱３が固定されるが、階段１の勾配が変わって上下の踏板２の段差が変わっても固着具８を打入する位置を長孔状の固定穴７に沿って調整することにより手摺り支柱３が踏板２の段鼻部に固定でき、階段１の勾配が変ったりしても共通の部材で施工することができる。さらに挿通穴１６にカバーを被着することにより挿通穴１６や固定穴７を隠して外観を向上できる。
【０００６】
また本発明の請求項２の階段の手摺りの採り付け構造は、角パイプ状の手摺り支柱３の対向する２面のうち一方の面に上下に等間隔に複数の固定穴９を穿孔すると共に他方の面に固定穴９より径の大きな挿通穴１９を固定穴９に対向するように穿孔し、階段１の踏板２や下階の床面５に支柱ベース６を取着すると共にこの支柱ベース６の上に手摺り支柱３の下端を取り付けて手摺り支柱３を立設し、階段１の傾斜に沿わせて配置した手摺りバー４を手摺り支柱３の上端に取着して支持し、各手摺り支柱３をこの手摺り支柱３の下端の取り付け位置より１段高い踏板２の前端の段鼻部に沿わせると共に固着具８を打入する固定穴９の位置を選択して固定穴９から踏板２の段鼻部に固着具８を打入して踏板２の段鼻部に手摺り支柱３を上下位置調整自在に固定し、挿通穴１９群を覆うようにカバー材１７を固定したことを特徴とする。手摺り支柱３をこの手摺り支柱３の下端の取り付け位置より１段高い踏板２の前端の段鼻部に沿わせると共にこの踏板２の段鼻部に手摺り支柱３を固定したことにより手摺り支柱３の下端を支柱ベース６に固定する以外に手摺り支柱３の下端より上の位置も踏板２に固定でき、手摺り支柱３を安定よく立設でき、手摺りを安定よく施工できる。また固着具８を挿通穴１９から固定穴９に挿通し、挿通穴１９から工具等を操作して固定穴９から踏板２の段鼻部に固着具８を打入して手摺り支柱３が固定されるが、階段１の勾配が変わって上下の踏板２の段差が変わっても固着具８を打入する固定穴９の位置を選択することにより手摺り支柱３が踏板２の段鼻部に固定でき、階段１の勾配が変ったりしても共通の部材で施工することができる。さらに挿通穴１９にカバー材１７を固定したことにより挿通穴１９や固定穴９を隠して外観を向上できる。
【０００７】
また手摺り支柱３と段鼻部との間に弾性のある部材を介在した状態で手摺り支柱３から段鼻部に固着具８を打入したことを特徴とすることも好ましい。弾性のある部材を介して固着具８を打入して固定することで手摺り支柱３を踏板２にがたつきなく取り付けることができて手摺り支柱３を安定よく取り付けることができる。
【０００８】
【発明の実施の形態】
階段１には図１に示すように下階の床面５から上階の床面まで順次高くなるように踏板２を取り付けてある。本例の場合、階段１がオープン階段であり、階段１の踏板２の端部の上方に次のように手摺りが階段１の勾配に応じた勾配で取り付けられる。手摺りは手摺り支柱３と手摺りバー４とで主体が構成されている。
【０００９】
下階の床面５や各踏板２には夫々手摺り支柱３が立設されるが、蹴込み板１１側である後側の位置で手摺り支柱３が立設される。手摺り支柱３は角パイプ状に形成されており、手摺り支柱３の下端が次のように固定される。床面５や踏板２の手摺り支柱３を立設する位置には図２に示すように断面略Ｕ字状の支柱ベース６が釘、ビス等の固着具１２を打入して固定されており、手摺り支柱３の下端を支柱ベース６に被嵌することで手摺り支柱３の下端を固定してある。手摺り支柱３の下端を支柱ベース６に被嵌して固定するとき、必要に応じて手摺り支柱３から支柱ベース６に固着具を打入して固定してもよい。このように手摺り支柱３を立設したとき、下端を固定した位置より一段高い位置に位置する踏板２の前端の段鼻部に沿わせられ、各手摺り支柱３の下端より一段高い位置が後述するように各踏板２の段鼻部に固定される。
【００１０】
各手摺り支柱３の上端の上方には丸棒状等の形状の手摺りバー４が階段１の勾配に応じて配置され、手摺り支柱３の上端に手摺りバー４が次のように取り付けられる。図３に示すように手摺り支柱３の上端には手摺り受け材１３がビス等の固着具１４にて取着され、この手摺り受け材１３には首振りブラケット１５が軸１０にて回動自在に取り付けられており、首振りブラケット１５には手摺りバー４が取着されている。上記のように首振りブラケット１５を介して手摺りバー４を取り付けるようにすると、階段１の勾配が変ってもその勾配に応じて手摺りバー４の勾配を自在に変えて施工できる。また本発明の場合、従来のように踏板２の前端と後端との間に手摺り支柱３′を立設していなく、手摺り支柱３のみで手摺りバー４を支持している。従来のように手摺り支柱３と手摺り支柱３′とで手摺りバー４を支持すると、長さの異なる２種類の手摺り支柱３，３′を要すると共に階段の勾配が変ったとき手摺り支柱３′も長さの異なるものを用意しなければならないが、本発明の場合、手摺り支柱３だけなのでそのような問題を生じない。
【００１１】
次に手摺り支柱３の下端より一段高い位置の踏板２の前端の段鼻部に固定する例について述べる。手摺り支柱３は角パイプ状に形成されているが、図４に示すように手摺り支柱３の対向する２面のうち一方の面には上下に長い長孔状の固定穴７が穿孔されており、他方の面には固定穴７に対応するように上下に長い長孔状の挿通穴１６が穿孔されている。手摺り支柱３を踏板２の段鼻部に固定するとき、ビスのような固着具８が挿通穴１６から固定穴７に挿通され、挿通穴１６から工具等で操作して固定穴７から踏板２の段鼻部に固着具８が打入されて手摺り支柱３が固定される。このとき階段１の勾配が変って上下の踏板２の段差が変っても固着具８を打入する位置を長孔状の固定穴７に沿って調整することにより手摺り支柱３が踏板２の段鼻部に固定される。手摺り支柱３を固定した後、必要に応じて上記挿通穴１６にカバーを被着して外観を向上する。また固定穴７から固着具８を打入して手摺り支柱３を固定するとき、弾性のある部材を手摺り支柱３と踏板２の段鼻部との間に介装してもよい。つまり、図５に示すように樹脂、ゴム等の弾性のある材料で形成せるカバー材１７を固定穴７を閉塞するように被着し、固定穴７からカバー材１７を介して踏板２の段鼻部に固着具８を打入して固定してある。このようにしてあると、手摺り支柱３を踏板２にがたつきなく取り付けることができて手摺り支柱３を安定よく取り付けることができる。また上記のように手摺り支柱３に固定穴７や挿通穴１６を穿孔すると、手摺り支柱３が強度的に弱くなるおそれがあるため、手摺り支柱３の固定穴７や挿通穴１６を設ける位置の近傍に補強材１８を装着してもよい。
【００１２】
また図７乃至図９は手摺り支柱３を踏板２の段鼻部に固定する他の例を示すものである。手摺り支柱３の対向する面の一方の面には上下に等間隔に複数の固定穴９を穿孔してあり、他方の面にはこの固定穴９より径の大きな挿通穴１９を固定穴９に対応するように穿孔してある。固定穴９群の上方及び下方には係合穴２０を穿孔してあり、挿通穴１９群の上方及び下方には係合穴２０を穿孔してある。カバー材１７は樹脂、ゴム等の弾性のある材料にて細長い矩形板状に形成されており、カバー１７の上端及び下端には上記係合穴２０に着脱自在に係合し得る係合脚２１を突設してある。
【００１３】
手摺り支柱３を踏板２の段鼻部に固定するとき固定穴９群を設けた方の面の外面にカバー材１７が配置され、カバー材１７の係合脚２１を係合穴２０に挿入して係合することでカバー材１７が取り付けられる。このようにカバー材１７を取り付けた状態でカバー材１７が踏板２の段鼻部に沿わせられ、挿通穴１９から固定穴９に固着具８が挿通され、挿通穴１９から工具等が挿通されて固着具８が固定穴９からカバー材１７を介して踏板２の段鼻部に打入されて手摺り支柱３が踏板２の段鼻部に固定される。このとき階段１の勾配が変って上下の踏板２の段差が変っても固着具８を打入する固定穴９の位置を選択することによって手摺り支柱３が踏板２の段鼻部に固定される。このとき弾性を有する部材としてのカバー材１７を介して固着具８を固定穴９から打入しているので、手摺り支柱３を踏板２にがたつきなく取り付けることができて手摺り支柱３を安定よく取り付けることができる。手摺り支柱３を固定した後、カバー材１７が挿通穴１９群を覆うように配置され、カバー材１７の係合脚２１が係合穴２１に係合されてカバー材１７が固定され、カバー材１７にて挿通穴１９が見えないように外観よく仕舞われる。
【００１４】
【発明の効果】
本発明の請求項１の発明は、叙述の如く各手摺り支柱をこの手摺り支柱の下端の取り付け位置より１段高い踏板の前端の段鼻部に沿わせると共にこの踏板の段鼻部に手摺り支柱を固定したので、手摺り支柱の下端を支柱ベースに固定する以外に手摺り支柱の下端より上の位置も踏板に固定でき、手摺り支柱を安定よく立設でき、手摺りを安定よく施工できるものであり、しかも階段の勾配が変わって上下の踏板の段差が変わっても固着具を打入する位置を長孔状の固定穴に沿って調整することにより手摺り支柱が踏板の段鼻部に固定でき、階段の勾配が変ったりしても共通の部材で施工することができるものであり、さらに挿通穴にカバーを被着することにより挿通穴や固定穴を隠して外観を向上できるものである。
【００１５】
また本発明の請求項２の発明も、各手摺り支柱をこの手摺り支柱の下端の取り付け位置より１段高い踏板の前端の段鼻部に沿わせると共にこの踏板の段鼻部に手摺り支柱を固定したので、手摺り支柱の下端を支柱ベースに固定する以外に手摺り支柱の下端より上の位置も踏板に固定でき、手摺り支柱を安定よく立設でき、手摺りを安定よく施工できるものであり、しかも階段の勾配が変わって上下の踏板の段差が変わっても固着具を打入する固定穴の位置を選択することにより手摺り支柱が踏板の段鼻部に固定でき、階段の勾配が変ったりしても共通の部材で施工することができるものであり、さらに挿通穴にカバー材を固定したことにより挿通穴や固定穴を隠して外観を向上できるものである。
【００１６】
また本発明の請求項３の発明は、請求項１または請求項２において、手摺り支柱と段鼻部との間に弾性のある部材を介在した状態で手摺り支柱から段鼻部に固着具を打入したので、手摺り支柱を踏板にがたつきなく取り付けることができて手摺り支柱を安定よく取り付けることができるものである。
【図面の簡単な説明】
【図１】  本発明の実施の形態の一例を示す一部切欠正面図である。
【図２】  同上の手摺り支柱の下端を固定する部分を示す一部切欠斜視図である。
【図３】  同上の手摺り支柱に手摺りバーを取り付ける部分の構造を示す側面から見た断面図である。
【図４】  （ａ）（ｂ）は同上の手摺り支柱を踏板の段鼻部に固定する状態を説明する斜視図である。
【図５】  同上の他の例の手摺り支柱を踏板の段鼻部に固定する状態を説明する斜視図である。
【図６】  同上の他の例の手摺り支柱の斜視図である。
【図７】  同上の他の例の手摺り支柱の要部を示し、（ａ）は正面図、（ｂ）は左側面図、（ｃ）は右側面図である。
【図８】  同上のカバー材を示し、（ａ）は正面図、（ｂ）は平面図、（ｃ）は側面図である。
【図９】  同上の手摺り支柱を踏板の段鼻部に固定する状態を示し、（ａ）は斜視図、（ｂ）は断面図である。
【図１０】  従来例を示す斜視図である。
【符号の説明】
１  階段
２  踏板
３  手摺り支柱
４  手摺りバー
５  下階の床面
６  支柱ベース
７  固定穴
８  固着具
９  固定穴
【図１】
0003685135.tif 000002
【図２】
0003685135.tif 000003
【図３】
0003685135.tif 000004
【図４】
0003685135.tif 000005
【図５】
0003685135.tif 000006
【図６】
0003685135.tif 000007
【図７】
0003685135.tif 000008
【図８】
0003685135.tif 000009
【図９】
0003685135.tif 000010
【図１０】
0003685135.tif 000011